(57)【要約】    【課題】  少なくとも一部が重ねて配設された二枚のＦＰＣの装着操作性を改善しようとする電気部品用ソケットを提供する。    【解決手段】  第１のＦＰＣ２の平面電極に対応して植設された第１のコンタクトピン６を有し、第１のＦＰＣ２を収容する第１の収容部８を形成し、第１の収容部８の上方部位に第２のＦＰＣ３を収容する第２の収容部１０を形成し、第２の収容部１０に収容された第２のＦＰＣ３の平面電極に接触する接触子を設けたソケット本体部４と、ソケット本体部４に回動自在に結合され、ソケット本体部４側に回動した閉状態にて第１の収容部８に収容された第１のＦＰＣ２の平面電極と第１のコンタクトピント６とを接続する第２のコンタクトピン１９を有し、第２の収容部１０に収容された第２のＦＰＣ３の平面電極と接触子とを上方から押圧して接触させる押圧手段２０を第２の収容部１０に対応して設けたソケットカバー５とを備えたものである。【選択図】      図２
2006107834.tif 000002
【特許請求の範囲】
【請求項１】
電気部品に接続された第１及び第２のフレキシブルプリント基板の少なくともその一部が重ねて配設され、その端部の電極を挿入接続して上記電気部品の検査に使用する電気部品用ソケットであって、
前記第１のフレキシブルプリント基板の複数の平面電極に接続する複数の第１の接触子と、
該第１の接触子の一端部を植設し、前記第１のフレキシブルプリント基板を側方から挿入して収容する第１の収容部を形成し、該第１の収容部の上方部位に前記第２のフレキシブルプリント基板を前記第１のフレキシブルプリント基板と同方向から挿入して収容する第２の収容部を形成し、該第２の収容部に収容された前記第２のフレキシブルプリント基板の複数の平面電極にそれぞれ接触する第２の接触子を設けたソケット本体部と、
前記第１の接触子の他端部を固定して、前記ソケット本体部に回動自在に結合され、前記ソケット本体部側に回動した閉状態にて前記第１の収容部に収容された第１のフレキシブルプリント基板の平面電極と前記第１の接触子とが接続するようにされ、前記第２の収容部に収容された第２のフレキシブルプリント基板の平面電極と前記第２の接触子とを上方から押圧して接触させる押圧手段を前記第２の収容部に対応して設けたソケットカバーと、
を備えたことを特徴とする電気部品用ソケット。
【請求項２】
前記ソケット本体部の第２の収容部に備える前記第２の接触子は、プリント基板に形成された配線パターンの露出部であることを特徴とする請求項１記載の電気部品用ソケット。
【請求項３】
前記ソケットカバーは、前記押圧手段を設けた側が弾性部材により常時開方向に付勢され、その反対側端部が前記ソケット本体部に回動可能に支持されたカム軸の回動操作により上下動されて開閉動作することを特徴とする請求項１又は２記載の電気部品用ソケット。
【請求項４】
前記カム軸の一端には、該カム軸の回動操作を可能にするレバーをカム軸に略直交させて設け、該レバーが倒伏状態にて前記ソケット本体部の側面に設けた係止部に係止して前記ソケットカバーが閉状態に維持されるようにしたことを特徴とする請求項３記載の電気部品用ソケット。
【請求項５】
前記ソケットカバーの押圧手段は、先端部が断面円弧状に形成された押圧部を弾性部材で支持して備えたことを特徴とする請求項１〜４のいずれか１項に記載の電気部品用ソケット。
【請求項６】
前記第１の接触子は、前記ソケット本体部に設けられた第１のコンタクトピンと、前記ソケットカバーに設けられ、一端が前記第１のフレキシブルプリント基板の複数の平面電極に接続し、他端が前記第１のコンタクトピンに接続する第２のコンタクトピンとに分割されたことを特徴とする請求項１〜５のいずれか１項に記載の電気部品用ソケット。
【請求項７】
前記ソケットカバーの第２のコンタクトピンは、その略中央部が前記ソケットカバーに植設され、ソケットカバーが閉状態にて、その両端部が第１のコンタクトピンと第１のフレキシブルプリント基板の平面電極とに弾性的に押圧接触することを特徴とする請求項６記載の電気部品用ソケット。
【請求項８】
前記ソケット本体部の第２の接触子を第２の収容部の底面側に上向きに設け、前記第１のフレキシブルプリント基板の平面電極と向い合う面側に形成された前記第２のフレキシブルプリント基板の平面電極と接触可能にしたことを特徴とする請求項１〜７のいずれか１項に記載の電気部品用ソケット。
【請求項９】
前記ソケットカバーは、前記ソケット本体部に対して着脱容易に設けられたことを特徴とする請求項１〜８のいずれか１項に記載の電気部品用ソケット。
【発明の詳細な説明】
【技術分野】
【０００１】
本発明は、電気部品に接続された二枚のフレキシブルプリント基板（以下、「ＦＰＣ」と記載する）の少なくともその一部が重ねて配設され、その端部を挿入接続して電気部品の検査に使用する電気部品用ソケットに関し、詳しくは、各ＦＰＣの平面電極を収容する収容部を互いに上下の位置に配設することによって、ＦＰＣの装着操作性を改善しようとする電気部品用ソケットに係るものである。
【背景技術】
【０００２】
従来の電気部品用ソケットは、ソケット本体部に接近離間自在にソケットカバーを設け、このソケットカバーが離間位置にあるときにソケット本体部とソケットカバーの間にＦＰＣの端部を挿入し、ソケットカバーを接近位置とすることでソケットカバーを貫通して植設されたプローブがＦＰＣの端部の表面に配設された平面電極に当接するものとなっている（例えば、特許文献１参照）。
【０００３】
また、近年、液晶表示パネルとバックライトとを一体的に形成したＬＣＤモジュールが出現し、このＬＣＤモジュールの状態で点灯検査が行われるようになった。図１０に示すように、ＬＣＤモジュール１において、信号を供給する第１のＦＰＣ２とバックライトの電源を供給する第２のＦＰＣ３とは、上下に重ねて配設されており、各ＦＰＣの平面電極２ａ，３ａが互いに向い合う面側に設けられている。この場合、第２のＦＰＣ３の平面電極３ａは、第１のＦＰＣ２に設けられたバックライト用配線に接続され、電気部品用ソケットに装着された第１のＦＰＣ２の平面電極２ａを介してＬＣＤモジュール１に信号及びバックライトの電源が供給できるようになっている。しかし、互いに接続された第１及び第２のＦＰＣ２，３を図１１に示すように折り曲げて使用すると、内側にて折り曲げ変形された第１のＦＰＣ２と外側にて折り曲げ変形された第２のＦＰＣ３の平面電極３ａとの間に応力が作用し、接合部が剥離する問題があった。
【０００４】
そこで、第１及び第２のＦＰＣ２，３を互いに分離した状態でＬＣＤモジュール１の点灯検査を行いたいという要請が増えている。この場合、第１及び第２のＦＰＣ２，３が重ねて設けられており、且つ両ＦＰＣの平面電極２ａ，３ａが向い合う面側に設けられているため、従来の電気部品用ソケットの一つだけでは、第１及び第２のＦＰＣ２，３の平面電極２ａ，３ａに対して同時にプローブを接触させることができない。したがって、電気部品用ソケットを二つ用いて第１及び第２のＦＰＣ２，３をそれぞれ装着し、各電気部品用ソケットを介して両ＦＰＣに信号及び電源を供給する必要がある。
【特許文献１】実用新案登録第２５５７０６７号公報（第３頁、図３）
【発明の開示】
【発明が解決しようとする課題】
【０００５】
しかし、このような従来の電気部品用ソケットを二つ使用して第１及び第２のＦＰＣ２，３に信号及び電源を供給してＬＣＤモジュール１の点灯検査を行う場合には、各ＦＰＣをそれぞれ対応する電気部品用ソケットに装着しなければならず、ＦＰＣの装着操作が二回必要となり、操作性が悪い。
【０００６】
また、第１及び第２のＦＰＣ２，３の挿入口を上下の位置に夫々設けて一つの電気部品用ソケットで対応する方法も考えられるが、第２のＦＰＣ３の平面電極３ａが下側の第１のＦＰＣ２を向いているために平面電極３ａにプローブを接触させるためには、第２のＦＰＣ３を捩じ曲げて平面電極３ａを上向きにして挿入する必要があり、操作性は改善されない。さらに、第１及び第２のＦＰＣ２，３の挿入口を上下に立体的に設けた場合には、従来の電気部品用ソケットがソケットカバー５を貫通してコンタクトピンを突設するものであるため、電気部品用ソケットの厚みが厚くなる問題がある。
【０００７】
そこで、本発明は、このような問題点に対処し、少なくとも一部が重ねて配設された二枚のＦＰＣの装着操作性を改善しようとする電気部品用ソケットを提供することを目的とする。
【課題を解決するための手段】
【０００８】
上記目的を達成するために、本発明による電気部品用ソケットは、電気部品に接続された第１及び第２のフレキシブルプリント基板の少なくともその一部が重ねて配設され、その端部の電極を挿入接続して上記電気部品の検査に使用する電気部品用ソケットであって、前記第１のフレキシブルプリント基板の複数の平面電極に接続する複数の第１の接触子と、該第１の接触子の一端部を植設し、前記第１のフレキシブルプリント基板を側方から挿入して収容する第１の収容部を形成し、該第１の収容部の上方部位に前記第２のフレキシブルプリント基板を前記第１のフレキシブルプリント基板と同方向から挿入して収容する第２の収容部を形成し、該第２の収容部に収容された前記第２のフレキシブルプリント基板の複数の平面電極にそれぞれ接触する第２の接触子を設けたソケット本体部と、前記第１の接触子の他端部を固定して、前記ソケット本体部に回動自在に結合され、前記ソケット本体部側に回動した閉状態にて前記第１の収容部に収容された第１のフレキシブルプリント基板の平面電極と前記第１の接触子とが接続するようにされ、前記第２の収容部に収容された第２のフレキシブルプリント基板の平面電極と前記第２の接触子とを上方から押圧して接触させる押圧手段を前記第２の収容部に対応して設けたソケットカバーとを備えたものである。
【０００９】
このような構成により、電気部品に接続され、その少なくとも一部を重ねて配設した第１及び第２のフレキシブルプリント基板のうち第１のフレキシブルプリント基板をソケット本体部に形成した第１の収容部に側方から挿入して収容し、第１の収容部の上方部位に形成された第２の収容部に第２のフレキシブルプリント基板を第１のフレキシブルプリント基板と同方向から挿入して収容し、ソケット本体部に回動自在に設けられたソケットカバーをソケット本体部側に回動させて閉状態とし、一端部をソケット本体部に植設し、他端部をソケットカバーに固定された第１の接触子を第１の収容部に収容された第１のフレキシブルプリント基板の平面電極に接続し、押圧手段で第２の収容部に収容された第２のフレキシブルプリント基板の平面電極と第２の収容部に設けられた接触子とを上方から押圧して接触させる。
【００１０】
また、前記ソケット本体部の第２の収容部に備える第２の接触子は、プリント基板に形成された配線パターンの露出部である。これにより、プリント基板に形成された配線パターンの露出部を接触子としてソケット本体部の第２の収容部に収容された第２のフレキシブルプリント基板の平面電極と接触させる。
【００１１】
さらに、前記ソケットカバーは、前記押圧手段を設けた側が弾性部材により常時開方向に付勢され、その反対側端部が前記ソケット本体部に回動可能に支持されたカム軸の回動操作により上下動されて開閉動作するものである。これにより、ソケットカバーの押圧手段を設けた側を弾性部材で常時開方向に付勢し、押圧手段を設けた側と反対側端部をソケット本体部に回動可能に支持されたカム軸の回動操作で上下動し、ソケットカバーに開閉動作をさせる。
【００１２】
さらにまた、前記カム軸の一端には、該カム軸の回動操作を可能にするレバーをカム軸に略直交させて設け、該レバーが倒伏状態にて前記ソケット本体部の側面に設けた係止部に係止して前記ソケットカバーが閉状態に維持されるようにしたものである。これにより、カム軸に略直交させて設けられ、該カム軸の回動操作を可能にするレバーを倒伏させてソケット本体部の側面に設けた係止部にレバーを係止させ、ソケットカバーを閉状態に維持する。
【００１３】
そして、前記ソケットカバーの押圧手段は、先端部が断面円弧状に形成された押圧部を弾性部材で支持して備えたものである。これにより、弾性部材で先端部が断面円弧状に形成された押圧部を支持する。
【００１４】
また、前記第１の接触子は、前記ソケット本体部に設けられた第１のコンタクトピンと、前記ソケットカバーに設けられ、一端が前記第１のフレキシブルプリント基板の複数の平面電極に接続し、他端が前記第１のコンタクトピンに接続する第２のコンタクトピンとに分割されたものである。これにより、第１の接触子を第１のコンタクトピンと第２のコンタクトピンとに分割し、第１のコンタクトピンをソケット本体部に設け、第２のコンタクトピンをソケットカバーに設け、第２のコンタクトピンの一端を第１のフレキシブルプリント基板の複数の平面電極に接続し、他端を第１のコンタクトピンに接続する。
【００１５】
さらに、前記ソケットカバーの第２のコンタクトピンは、その略中央部が前記ソケットカバーに植設され、ソケットカバーが閉状態にて、その両端部が第１のコンタクトピンと第１のフレキシブルプリント基板の平面電極とに弾性的に押圧接触するものである。これにより、略中央部がソケットカバーに植設された第２のコンタクトピンの両端部を、ソケットカバーが閉状態にて第１のコンタクトピンと第１のフレキシブルプリント基板の平面電極とに弾性的に押圧接触させる。
【００１６】
さらにまた、前記ソケット本体部の第２の接触子を第２の収容部の底面側に上向きに設け、前記第１のフレキシブルプリント基板の平面電極と向い合う面側に形成された前記第２のフレキシブルプリント基板の平面電極と接触可能にしたものである。これにより、ソケット本体部の第２の収容部の底面側に上向きに設けられた第２の接触子を第１のフレキシブルプリント基板の平面電極と向い合う面側に形成された第２のフレキシブルプリント基板の平面電極に接触させる。
【００１７】
そして、前記ソケットカバーは、前記ソケット本体部に対して着脱容易に設けられたものである。これにより、必要に応じてソケットカバーをソケット本体部に対して着脱する。
【発明の効果】
【００１８】
請求項１に係る発明によれば、第１及び第２のフレキシブルプリント基板をソケット本体部の側方にて同方向から挿入して収容する第１及び第２の収容部をソケット本体部の上面に上下方向に立体的に設け、ソケットカバーを閉じた際に第１の接触子を第１の収容部に収容された第１のフレキシブルプリント基板の平面電極に電気的に接続させると同時に、押圧手段で押圧して第２の収容部に収容された第２のフレキシブルプリント基板の平面電極と第２の収容部に設けた接触子とを電気的に接続するようにしたことにより、一回の挿入操作で重ねて配設した第１及び第２のフレキシブルプリント基板をそれぞれ第１及び第２の収容部に収容して同時に電気的接続を確保することができる。したがって、二枚のフレキシブルプリント基板が重ねて配設されたものであってもフレキシブルプリント基板の装着操作性を改善することができる。
【００１９】
また、請求項２に係る発明によれば、ソケット本体部の接触子をプリント基板に形成した配線パターンの露出部としたことにより、接触子を有する配線パターンを平面的に形成することができる。したがって、第１及び第２の収容部を立体的に形成しても、従来技術におけるようなソケットカバーの上面に突出してプローブを有さないため、薄型小型化することができる。
【００２０】
さらに、請求項３に係る発明によれば、ソケットカバーの押圧手段を設けた側を弾性部材で常時開方向に付勢し、押圧手段を設けた側と反対側端部をソケット本体部に回動可能に支持されたカム軸の回動操作で上下動させるようにしたことにより、ソケットカバーに開閉動作をさせることができる。
【００２１】
さらにまた、請求項４に係る発明によれば、カム軸に略直交させて設けられ、該カム軸の回動操作を可能にするレバーを倒伏させてソケット本体部の側面に設けた係止部にレバーを係止させるようにしたことにより、ソケットカバーを閉状態に維持することができる。
【００２２】
そして、請求項５に係る発明によれば、ソケットカバーの押圧手段を先端部が断面円弧状に形成された押圧部を弾性部材で支持する構成としたことにより、第２のフレキシブルプリント基板の平面電極及び接触子に対して均一な押圧力を作用することができる。したがって、第２のフレキシブルプリント基板の平面電極と接触子との電気的接続を確実なものとすることができる。
【００２３】
また、請求項６に係る発明によれば、第１の接触子を第１及び第２のコンタクトピンに分割し、第１のコンタクトピンをソケット本体部に設け、第２のコンタクトピンをソケットカバーに設けたことにより、第１のコンタクトピンを設けたソケット本体部に対して第２のコンタクトピンを設けたソケットカバーを装着するだけでよいので、組立て作業が容易になる。
【００２４】
さらに、請求項７に係る発明によれば、略中央部がソケットカバーに植設された第２のコンタクトピンの両端部を、ソケットカバーが閉状態にて第１のコンタクトピンと第１のフレキシブルプリント基板の平面電極とに弾性的に押圧接触させるようにしたことにより、第２のコンタクトピンとの接触により第１のフレキシブルプリント基板の平面電極に傷が付くのを抑制することができ、電気部品の品質劣化を防止することができる。
【００２５】
さらにまた、請求項８に係る発明によれば、ソケット本体部の第２の収容部の底面側に上向きに第２の接触子を設けたことにより、下向きに形成された第２のフレキシブルプリント基板の平面電極に対して接触子を接触させることができる。したがって、互いに向い合う面側に平面電極を配設した二枚のフレキシブルプリント基板を接続した電気部品に対しても適用することができる。
【００２６】
そして、請求項９に係る発明によれば、ソケットカバーをソケット本体部に対して着脱容易に設けたことにより、繰返しの使用でソケットカバーの第２のコンタクトピンが損耗した場合に新しいソケットカバーと交換することができる。
【発明を実施するための最良の形態】
【００２７】
以下、本発明の実施形態を添付図面に基づいて詳細に説明する。
図１は本発明による電気部品用ソケットの実施形態を示す平面図であり、図２は、図１のＡ−Ａ線断面図であり、図３は、図２のＢ−Ｂ線断面図である。この電気部品用ソケットは、例えばＬＣＤモジュールに接続された信号供給用の第１のＦＰＣとバックライト電源供給用の第２のＦＰＣが重ねて配設され、その端部の電極を挿入接続してＬＣＤモジュールの検査に使用するものであり、ソケット本体部４と、ソケットカバー５とからなる。
【００２８】
上記ソケット本体部４は、略中央部に第１のＦＰＣ２の複数の平面電極２ａに対応して植設された複数の第１のコンタクトピン６を有する基部７と、この基部７の一側端部に設けられ上面に第１のＦＰＣ２の平面電極２ａを側方（図２において水平方向）から挿入して収容する第１の収容部８を形成した第１のガイドユニット９と、第１の収容部８の上方部位に配設され、第２のＦＰＣ３の平面電極３ａを第１の収容部８への挿入方向と同方向から挿入して収容する第２の収容部１０を形成し、この第２の収容部１０に収容された第２のＦＰＣ３の複数の平面電極３ａにそれぞれ接触する接触子を設けた第２のガイドユニット１１とを備えている。なお、第１のコンタクトピン６は、第１の接触子の一端部をなすものである。
【００２９】
ここで、第１のガイドユニット９は、図４に示すように第１のＦＰＣ２を収容する凹状の第１の収容部８を形成したベースプレート１２と、このベースプレート１２の上面に設けられ第１の収容部８の側壁を形成すると共に第１のＦＰＣ２を第１の収容部８に案内するガイド部を形成するガイド部材１３とを備えて構成している。
【００３０】
また、第２のガイドユニット１１は、図５に示すように、ガイド部材１３の上面に配設され接触子１４ａを上側に露出させて有する配線パターン１４を形成したプリント基板１５（図６参照）と、このプリント基板１５上に配設され第２のＦＰＣ３を収容する第２の収容部１０を形成すると共に第２のＦＰＣ３を第２の収容部１０に案内するガイド部を形成するガイド部材１６とを備えて構成している。
【００３１】
そして、第１及び第２の収容部８，１０は、それぞれ、ソケット本体部４の側方に向かって開口する挿入口８ａ，１０ａを有するようにされている（図２参照）。なお、プリント基板１５には、図６に示すように外部に備えるバックライトの電源装置と接続するためのコネクタ１７が設けられている。
【００３２】
ソケット本体部４には、図２に示すようにソケット本体部４の基部７に対して回動軸１８により軸支されてソケットカバー５が回動自在に設けられている。このソケットカバー５は、ソケット本体部４側に回動した閉状態において第１のＦＰＣ２に信号供給を可能にし、第２のＦＰＣ３にバックライトの電源供給を可能にするものであり、第１の収容部８に収容された第１のＦＰＣ２の平面電極２ａと第１のコンタクトピン６とを接続する第２のコンタクトピン１９を有し、第２の収容部１０に収容された第２のＦＰＣ３の平面電極３ａと第２の接触子（以下、単に「接触子」と記載する）１４ａとを上方から弾性的に押圧して接触させる押圧手段２０を第２の収容部１０に対応して設けている。なお、第２のコンタクトピン１９は、第１の接触子の他端部をなすものである。
【００３３】
第２のコンタクトピン１９は、略コ字状の形状を有し、その略中央部がソケットカバー５に植設され、ソケットカバー５が閉状態にて、その両端部が第１のコンタクトピン６と第１のＦＰＣ２の平面電極２ａとに弾性的に押圧接触するようになっている。
【００３４】
また、ソケットカバー５は、回動軸１８に対して押圧手段２０を設けた側の両側部が一端部を基部７に保持した弾性部材としての第１のコイルスプリング２１により常時開方向に付勢され、その反対側端部５ａの内側面５ｂが基部７に回動可能に支持された断面略Ｄ形状のカム軸２２の周面に当接し、カム軸２２の回動により端部５ａが上下動されて開閉動作するようになっている。
【００３５】
さらに、カム軸２２の一端には、図１及び図３に示すように略直交してレバー２３が設けられており、このレバー２３が倒伏状態にて基部７の側面に設けた係止部としてのレバークリップ２４に係止してソケットカバー５が閉状態に維持されるようになっている。このレバークリップ２４は、図７に示すように略Ｌ字形状を有して、その底面が基部７に対してネジ止めされており、起立した側壁の外側面に突起部２４ａを設け、この突起部２４ａにレバー２３が係止するようになっている。
【００３６】
そして、押圧手段２０は、図８に示すように、第２の収容部１０に対応してソケットカバー５に設けられた挿通孔２５に先端部が断面円弧状に形成された押圧部２６を挿通させ、この押圧部２６を弾性部材としての第２のコイルスプリング２７で支持して第２の収容部１０に収容された第２のＦＰＣ３を押圧部２６が均一に押圧できるようになっている。また、押圧部２６の上端部には、押圧部２６を貫通して左右に突出させてシャフト２８を設け押圧部２６が上記挿通孔２５から脱落するのを防止している。
【００３７】
なお、回動軸１８は、Ｅリング２９で基部７に対して装着されており、Ｅリング２９を回動軸１８からはずして回動軸１８を基部７から抜き取れば、ソケットカバー５をソケット本体部４から容易に取り外すことができる。これにより、繰返しの使用でソケットカバー５の第２のコンタクトピン１９が損耗した場合に新しいソケットカバー５と交換することができる。
【００３８】
次に、このように構成された電気部品用ソケットの動作について説明する。
本発明の電気部品用ソケットは、図２に示すように試験用配線基板３０上に第１のコンタクトピン６を半田接合させて使用される。
【００３９】
この場合、先ず、図９に示すようにレバー２３を同図において矢印Ｅ回りに回動して起立させ、カム軸２２のＤカット部２２ａ（図２参照）をソケットカバー５の端部５ａの内側面５ｂに当接させる。これにより、ソケットカバー５は、第１のコイルスプリング２１により付勢されて開動作をし、第２のコンタクトピン１９が第１の収容部８から離間すると共に押圧手段２０の押圧部２６先端が第２の収容部１０から離間する。
【００４０】
この状態において、ＬＣＤモジュール１の第１及び第２のＦＰＣ２，３が図９に示す矢印Ｃ，Ｄ方向から第１及び第２の収容部８，１０に収容される。この場合、ＬＣＤモジュール１を水平に保持すると、第１のＦＰＣ２が垂れ下がり第２のＦＰＣ３と分離する。したがって、第１のＦＰＣ２を第１の収容部８の挿入口８ａに挿入した状態で第２のＦＰＣ３を第２の収容部１０の挿入口１０ａに位置決めして挿入すれば、一回の挿入操作で両ＦＰＣをそれぞれの収容部に収容することができる。
【００４１】
次に、図２及び図３に示すように本発明の電気部品用ソケットに併設したＬＣＤモジュール置台３１上にＬＣＤモジュール１を載置し、図９においてレバー２３を矢印Ｆ回りに回動するとカム軸２２の円弧状の側面２２ｂ（図２参照）がソケットカバー５の端部５ａの内側面５ｂに当接してこの端部５ａを押し上げ、ソケットカバー５をソケット本体部４側に回動して閉動作をさせる。これにより、ソケット本体部４に設けた第１のコンタクトピン６及び第１の収容部８に収容された第１のＦＰＣ２の平面電極２ａに対してソケットカバー５に設けた第２のコンタクトピン１９が弾性的に接触し、第１のコンタクトピン６と第１の平面電極２ａとが電気的に接続される。
【００４２】
同時に、押圧手段２０の押圧部２６が第２の収容部１０に収容された第２のＦＰＣ３を上方から弾性的に押圧し、第２のＦＰＣ３の平面電極３ａとプリント基板１５に配線された接触子１４ａとを接触させて両者を電気的に接続する。
【００４３】
さらに、レバー２３を回動して倒伏させると、図７に示すようにレバー２３は、ソケット本体部４の基部７の側面に設けたレバークリップ２４の突起部２４ａに係止し、ソケットカバー５が閉状態に維持される。
【００４４】
この状態において、試験用配線基板３０を介して試験信号が第１のＦＰＣ２に供給されて液晶表示パネルが駆動され、バックライトの電源装置からプリント基板１５のコネクタ１７を介して電源が第２のＦＰＣ３に供給されてバックライトが点灯される。こうして、ＬＣＤモジュール１の点灯試験が行われる。
【００４５】
試験が終了した後、上述と反対の操作をすれば、本発明の電気部品用ソケットからＬＣＤモジュール１を取り外すことができる。
【００４６】
このように、本発明の電気部品用ソケットによれば、第１及び第２のＦＰＣ２，３を水平方向にて同方向から挿入して収容する第１及び第２の収容部８，１０をソケット本体部４の上面に上下方向に立体的に設け、ソケットカバー５を閉じた際にソケットカバー５に設けた第２のコンタクトピン１９でソケット本体部４に設けた第１のコンタクトピン６と第１の収容部８に収容された第１のＦＰＣ２の平面電極２ａとを電気的に接続すると同時に、押圧手段２０で押圧して第２の収容部１０に収容された第２のＦＰＣ３の平面電極３ａと第２の収容部１０に設けた接触子１４ａとを電気的に接続するようにしたことにより、一回の挿入操作で重ねて配設した第１及び第２のＦＰＣ２，３をそれぞれ第１及び第２の収容部８，１０に収容して電気的接続を確保することができ、ＦＰＣの装着操作性が改善される。
【００４７】
また、第２の収容部１０に設けた接触子１４ａをプリント基板１５に形成した配線パターン１４としたことにより、配線パターン１４を平面的に形成することができる。したがって、第１及び第２の収容部８，１０を立体的に形成しても、従来技術におけるようなソケットカバー５の上面に突出してプローブを有さないため、薄型小型化することができる。
【００４８】
さらに、第２の収容部１０の底面側に接触子１４ａを上向きに設けたプリント基板１５を配設したことにより、第２のＦＰＣ３の平面電極３ａが第１のＦＰＣ２の平面電極２ａと向い合う面側に形成されたものであっても第２のＦＰＣ３の平面電極３ａとプリント基板１５の接触子１４ａとを容易に接続することができる。
【００４９】
なお、上記実施形態においては、ＬＣＤモジュール１を用いた場合について説明したが、これに限られず、二枚のＦＰＣの少なくともその一部を重ねて配設した電気部品であればいかなるものであってもよい。この場合、二枚のＦＰＣの平面電極２ａ，３ａは、向い合う面側に設けられたものであっても、互いに同じ面側（例えば、上面側）に設けられたものであってもよい。
【００５０】
また、上記実施形態においては、第１の接触子を第１のコンタクトピン６と第２のコンタクトピン１９とに分割した場合について説明したが、これに限らず、第１の接触子は一体のものであってもよい。
【００５１】
そして、二枚のＦＰＣのうち上側に重なるＦＰＣは、複数枚を並列に設けたものであってもよい。この場合、第２の収容部１０を対応する複数個所に設け、これに対応して押圧手段の押圧部２６と接触子１４ａを複数箇所に設けるようにする。
【図面の簡単な説明】
【００５２】
【図１】本発明による電気部品用ソケットの実施形態を示す平面図である。
【図２】図１のＡ−Ａ線断面図である。
【図３】図２のＢ−Ｂ線断面図である。
【図４】上記電気部品用ソケットの第１のガイドユニットの構成を説明する要部拡大平面図である。
【図５】上記電気部品用ソケットの第２のガイドユニットの構成を説明する要部拡大平面図である。
【図６】上記第２のガイドユニットのプリント基板を示す平面図である。
【図７】上記電気部品用ソケットのレバークリップの構成を説明する要部拡大断面図である。
【図８】上記電気部品用ソケットの押圧手段の構成を説明する要部拡大断面図である。
【図９】上記電気部品用ソケットのソケットカバーの開閉動作を説明する側面説明図である。
【図１０】第１及び第２のＦＰＣを重ねて配設したＬＣＤモジュールを示す側面図である。
【図１１】図１０に示すＬＣＤモジュールにおいて、第１及び第２のＦＰＣを互いに接合した状態で折り曲げ変形した場合を示す側面図である。
【符号の説明】
【００５３】
１…ＬＣＤモジュール（電気部品）
２…第１のＦＰＣ
３…第２のＦＰＣ
２ａ，３ａ…平面電極
４…ソケット本体部
５…ソケットカバー
５ａ…端部
６…第１のコンタクトピン（第１の接触子の一端部）
８…第１の収容部
１０…第２の収容部
１４…配線パターン
１４ａ…接触子（第２の接触子）
１５…プリント基板
１９…第２のコンタクトピン（第１の接触子の他端部）
２０…押圧手段
２１…第１のコイルスプリング（弾性部材）
２２…カム軸
２３…レバー
２４…レバークリップ（係止部）
２６…押圧部
２７…第２のコイルスプリング（弾性部材）
【図１】
2006107834.tif 000003
【図２】
2006107834.tif 000004
【図３】
2006107834.tif 000005
【図４】
2006107834.tif 000006
【図５】
2006107834.tif 000007
【図６】
2006107834.tif 000008
【図７】
2006107834.tif 000009
【図８】
2006107834.tif 000010
【図９】
2006107834.tif 000011
【図１０】
2006107834.tif 000012
【図１１】
2006107834.tif 000013